(57)【要約】【課題】ネットワーク環境監視装置の数が多い場合に各装置の状態を確認しやすく、管理がしやすいネットワーク環境監視システムを提供する。【解決手段】コンピュータ４で監視している複数のネットワーク環境監視装置２を１グループＧ１とし、グループ内の複数のネットワーク環境監視装置２を更に複数の階層にグループＧ２，Ｇ３を形成し、ネットワーク環境監視装置２の情報を下位グループＧ２，Ｇ３から上位グループＧ１へ伝達し、コンピュータ４によって各階層毎で状態を表示する。【選択図】図１
2005070926.tif 000002
【特許請求の範囲】
【請求項１】
各種センサによって温度や電力等を監視したり、各種電気機器の制御をするネットワーク環境監視装置とネットワークを介して接続されたコンピュータによって遠隔で監視・制御を行うネットワーク環境監視システムにおいて、前記コンピュータで監視・制御している複数のネットワーク環境監視装置を１グループとし、該グループ内の複数のネットワーク環境監視装置を更に複数の階層にグループを形成し、前記ネットワーク環境監視装置の情報を下位グループから上位グループへ伝達し、前記コンピュータによって各階層毎で状態を表示することを特徴とするネットワーク環境監視システム。
【発明の詳細な説明】
【技術分野】
【０００１】
本発明は、温度、湿度、電力、扉の開閉状態等を監視したり、電気錠や換気装置等の電気機器を制御するネットワーク環境監視装置とネットワークを介して接続されたコンピュータによって遠隔で監視・制御するネットワーク環境監視システムの表示方法に関する。
【背景技術】
【０００２】
ネットワーク環境監視システムは、ネットワーク環境監視装置とインターネットやＬＡＮ等のネットワークを介してコンピュータを接続して構成し、例えば、ラック内の温度、湿度、電力、扉の開閉状態等の監視や、電気錠や換気装置等の電気機器の制御を遠隔に設置したコンピュータによって行っている。ネットワーク環境監視装置が複数台設置されている場合、コンピュータは一画面にすべてのネットワーク環境監視装置のアイコンを表示し、アイコンの色を変えたり、ブザー等の音によってネットワーク環境監視装置の変化を知らせ、アイコンを選択することによってウインドウが開いて詳しい情報を表示するようになっている（例えば、非特許文献１参照。）。
【非特許文献１】“ネットワーク環境監視装置”［online］、平成１４年３月、河村電器産業株式会社、［平成１５年８月１２日検索］、インターネット＜ＵＲＬ：http://www.kawamura.co.jp/rack/lineup/rp48/index.html＞
【発明の開示】
【発明が解決しようとする課題】
【０００３】
このネットワーク環境監視システムにおいて、例えば、複数の建物に夫々複数台のネットワーク環境監視装置が設置されている場合、ネットワーク環境監視装置に異常が発生してもコンピュータにおける表示は一画面にすべてのネットワーク環境監視装置のアイコンが表示されているので、どの建物に設置されたネットワーク環境監視装置に異常が発生したのかすぐに分からず、また、背景画面を地図の画像にすることによって地図上にネットワーク環境監視装置のアイコンを配置することもできるが、ネットワーク環境監視装置の配置位置が密集するとアイコンが重なって見えないという欠点があった。
【課題を解決するための手段】
【０００４】
本発明は、各種センサによって温度や電力等を監視したり、各種電気機器の制御をするネットワーク環境監視装置とネットワークを介して接続されたコンピュータによって遠隔で監視・制御を行うネットワーク環境監視システムにおいて、コンピュータで監視・制御している複数のネットワーク環境監視装置を１グループとし、グループ内の複数のネットワーク環境監視装置を更に複数の階層にグループを形成し、ネットワーク環境監視装置の情報を下位グループから上位グループへ伝達し、コンピュータによって各階層毎で状態を表示することを特徴とする。
【発明の効果】
【０００５】
本発明のネットワーク環境監視システムは、ネットワーク環境監視装置の数が多い場合に各装置の状態を確認しやすく、管理がしやすいという効果がある。
【発明を実施するための最良の形態】
【０００６】
コンピュータで監視している複数のネットワーク環境監視装置を１グループとし、グループ内の複数のネットワーク環境監視装置を更に複数の階層にグループを形成し、ネットワーク環境監視装置の情報を下位グループから上位グループへ伝達し、コンピュータによって各階層毎で状態を表示する。
【実施例１】
【０００７】
本発明に係るネットワーク環境監視システムの実施例を図１〜図５の添付図面に基づいて説明する。
【０００８】
図１に示すようにネットワーク環境監視システム１は、ネットワーク環境監視装置２とインターネットやＬＡＮ等のネットワーク３を介してコンピュータ４を接続して構成している。ネットワーク環境監視装置２は、例えば、ＨＵＢやサーバーを収納するためのラックに各種センサを取り付け、温度、湿度、電力、扉の開閉状態等をコンピュータ４によって遠隔で監視したり、電気錠や換気装置等に配線し、これらの電気機器をコンピュータ４によって遠隔で制御することができる。
【０００９】
ネットワーク環境監視システム１は複数のネットワーク環境監視装置２を１台のコンピュータ４で監視・制御することができる。コンピュータ４の表示は、コンピュータ４で監視・制御しているネットワーク環境監視装置全体を１つのグループとし、このグループ内のネットワーク環境監視装置２を更に複数の階層にグループを形成し、階層毎で状態を表示できるようになっている。
【００１０】
コンピュータ４の表示方法について詳しく説明すると、図１に示すようにネットワーク環境監視装置２が１〜ｎ台設置されている場合、この１〜ｎ台を第１グループＧ１とし、そして第１グループ内を更に階層構造に複数のグループを形成して、１〜ｍ台を第２グループＧ２、ｍ＋１〜ｎ台を第３グループＧ３としている。
【００１１】
ここで、例えば、第１グループＧ１のグループ名を「日本」、第２グループＧ２のグループ名を「中部」、第３グループＧ３のグループ名を「関東」と設定する。第１グループＧ１の「日本」を選択した際の背景画面に日本列島の地図の画像を設定し、第２グループＧ２の「中部」を選択した際の背景画面に中部地方の地図の画像を設定し、第３グループＧ３の「関東」を選択した際の背景画面に関東地方の地図の画像を設定する。
【００１２】
第１グループＧ１の「日本」の地図上の中部地方に第２グループＧ２の「中部」のアイコンを配置し、関東地方に第３グループＧ３の「関東」のアイコンを配置する。第１グループＧ１の「日本」の画面で第２グループＧ２の「中部」のアイコンを選択すると地図が開くのでこの地図上にネットワーク環境監視装置２１〜ｍのアイコンを設置場所と対応するように配置する。ネットワーク環境監視装置２１〜ｍの何れかのアイコンを選択すると、選択したネットワーク環境監視装置の詳細な情報を表示するようになっている。
【００１３】
また、第１グループＧ１の「日本」の画面で第３グループＧ３の「関東」のアイコンを選択すると地図が開くのでこの地図上にネットワーク環境監視装置２ｍ＋１〜ｎのアイコンを設置場所と対応するように配置する。ネットワーク環境監視装置２ｍ＋１〜ｎの何れかのアイコンを選択すると、選択したネットワーク環境監視装置の詳細な情報を表示するようになっている。
【００１４】
図５のフローチャートは第２グループＧ２での動作の流れである。第２グループＧ２のネットワーク環境監視装置２１〜ｍの何れかで状態が正常から異常、又は異常から正常に変化すると（ステップＳ１）、異常が発生したネットワーク環境監視装置の表示を変更する（ステップＳ２）。表示の変更は、例えば、アイコンの色を緑色から赤色に変化させたり、○の記号から×の記号に変化させている。
【００１５】
ネットワーク環境監視装置２１〜ｍの状態が正常から異常に変化した場合は（ステップＳ３）、第２グループＧ２の状態が異常であるとして（ステップＳ４）第２グループＧ２のアイコンの表示を緑色から赤色に変更し（ステップＳ５）、ネットワーク環境監視装置２１〜ｍの状態が正常から異常に変化していない場合で（ステップＳ３）、このときネットワーク環境監視装置２１〜ｍのすべてが正常であるである場合は（ステップＳ６）、第２グループＧ２の状態が回復であるとして（ステップＳ７）第２グループＧ２のアイコンの表示を赤色から緑色に変更する（ステップＳ５）。また、ネットワーク環境監視装置２１〜ｍの何れかに異常がある場合は（ステップＳ６）、表示の変更は行わず、アイコンは赤色のままである。
【００１６】
こうして、第２グループＧ２の表示に変更があった場合は（ステップＳ８）、上位の第１グループＧ１のアイコンの表示も同様に緑色から赤色に変更し（ステップＳ９）、第２グループＧ２の表示に変更がない場合は（ステップＳ８）、第１グループＧ１の表示も変更しない。
【００１７】
尚、第３グループＧ３でネットワーク環境監視装置２ｍ＋１〜ｎに変化があった場合のコンピュータ４の動作方法も第２グループＧ２の動作方法と同様であるので省略する。
【００１８】
本実施例において、グループを２つの階層に形成したが、例えば、第２グループと第３グループの下位に都道府県名や都市名のグループを形成したり、更に建物名毎にグループを形成しても良く、階層の数に限定はない。
【図面の簡単な説明】
【００１９】
【図１】本発明に係るネットワーク環境監視システムを示すブロック図である。
【図２】本発明に係るネットワーク環境監視システムのコンピュータの画面であり、第１グループを表示した画面を示す。
【図３】本発明に係るネットワーク環境監視システムのコンピュータの画面であり、第２グループを表示した画面を示す。
【図４】本発明に係るネットワーク環境監視システムのコンピュータの画面であり、第３グループを表示した画面を示す。
【図５】本発明に係るネットワーク環境監視システムのコンピュータの表示方法を示すフローチャートである。
【符号の説明】
【００２０】
１    ネットワーク環境監視システム
２    ネットワーク環境監視装置
３    ネットワーク
４    コンピュータ
Ｇ１    第１グループ
Ｇ２    第２グループ
Ｇ３    第３グループ
【図１】
2005070926.tif 000003
【図５】
2005070926.tif 000004
【図２】
2005070926.tif 000005
【図３】
2005070926.tif 000006
【図４】
2005070926.tif 000007